(57)【要約】  【課題】  本発明は浴槽の表面に浮遊する汚れを除去する浴槽表面汚れ除去装置に関し、特に本発明は装置を大型化させることなく、浴槽表面に浮遊する汚れを効率よく除去する浴槽表面汚れ除去装置を提供するものである。【解決手段】  本発明はフロート部８を有し、浴槽に浴槽表面汚れ除去装置１を浮かせた状態でファン１５を駆動し、フィルタ２によって水槽水面の汚れを除去し、清水に変え浴槽内に戻す。このように構成することにより、自動的に浴槽表面汚れ除去装置１が浴槽内を移動し、水面の汚れを清掃することができる。【選択図】  図１
2007105064.tif 000002
【特許請求の範囲】
【請求項１】
水面にフィルタが位置し、該フィルタを通過した清水が排出手段によって浴槽内に排出され、浴槽水面に浮遊する汚れを除去することを特徴とする浴槽表面汚れ除去装置。
【請求項２】
装置を駆動する電源手段と、
前記装置を浴槽水面に浮遊させるフロート手段と、
浴槽水面に位置し、該水面に浮く汚れを除去するフィルタ手段と、
該フィルタ手段によって汚れが除去された清水を浴槽内に搬出する排出手段と、
を備えることを特徴とする浴槽表面汚れ除去装置。
【請求項３】
前記排出手段は、ファンを備えるポンプであり、該ファンの回転力により装置の推進力を得ることを特徴とする請求項１、又は２記載の浴槽表面汚れ除去装置。
【請求項４】
前記フロート手段は、装置内に形成された空間であり、該空間の容量は、装置重量によって決定されることを特徴とする請求項２、又は３記載の浴槽表面汚れ除去装置。
【請求項５】
前記電源手段は電池で構成され、該電池の交換表示を行うことを特徴とする請求項２、３、又は４記載のセキュリティ保護装置。
【請求項６】
前記フィルタ手段の清掃、又は交換表示を行うことを特徴とする請求項２、３、４、又は５記載の浴槽表面汚れ除去装置。
【請求項７】
前記フィルタ手段は、所定幅で、装置全周に渡って設けられていることを特徴とする請求項２、３、４、５、又は６記載の浴槽表面汚れ除去装置。
【請求項８】
前記フィルタ手段は、所定幅で、装置の任意の側面に設けられていることを特徴とする請求項２、３、４、５、又は６記載の浴槽表面汚れ除去装置。
【請求項９】
前記フィルタは、装置の上面に設けられていることを特徴とする請求項１、又は２記載の浴槽表面汚れ除去装置。
【発明の詳細な説明】
【技術分野】
【０００１】
本発明は、浴槽の表面に浮遊する汚れを除去する浴槽表面汚れ除去装置に関する。
【背景技術】
【０００２】
人が入浴に使用する浴槽は、垢や抜け落ちた髪の毛等が混じり汚れている。このような浴槽水を浄化する発明として、例えば特許文献１が提案されている。この発明は、浴槽水を循環する循環ポンプと、浴槽水中の懸濁物質を除去するフィルタを備え、循環ポンプによって浴槽水を循環させると共に、フィルタで浴槽内の汚れを除去する構成である。
【特許文献１】特開２００５−１６９２２９号公報
【発明の開示】
【発明が解決しようとする課題】
【０００３】
しかしながら、上記従来例の場合、浴槽水を循環させるため装置が大型化し、コストアップの原因となる。一方、浴槽内の汚れは、特に表面に浮遊する場合が多い。
【０００４】
そこで、本発明は装置を大型化させることなく、浴槽表面に浮遊する汚れを効率よく除去する浴槽表面汚れ除去装置を提供するものである。
【課題を解決するための手段】
【０００５】
上記課題は本発明によれば、水面にフィルタが位置し、該フィルタを通過した清水が排出手段によって浴槽内に排出され、浴槽内を移動して浴槽水面の汚れを除去する浴槽表面汚れ除去装置を提供することによって達成できる。
【０００６】
また、上記課題は本発明によれば、装置を駆動する電源手段と、装置を浴槽水面に浮遊させるフロート手段と、浴槽の水面に位置し、水面に浮遊する汚れを除去するフィルタ手段と、該フィルタ手段によって汚れが除去された清水を浴槽内に排出する排出手段とを備える浴槽表面汚れ除去装置を提供することによって達成できる。
【０００７】
このように構成することにより、本発明の浴槽表面汚れ除去装置を浴槽に浮遊させ、電源を投入するだけで浴槽表面汚れ除去装置が浴槽水面を移動し、水面に浮遊する汚れを自動的に除去することができる。
【０００８】
また、前記排出手段は、例えばファンを備えるポンプであり、該ファンの回転力により装置の推進力を得る構成である。また、前記フロート手段は、例えば装置内に形成された空間であり、該空間容量は、装置重量によって決定される。
【０００９】
また、前記電源手段は、例えば電池であり、該電池の交換表示を装置上面の操作部で行うことができる。同様に、前記フィルタ手段の清掃、又は交換表示を装置上面の操作部で行うことができる。
【００１０】
さらに、前記フィルタ手段は、例えば所定幅で、装置全周に渡って設けられている。但し、前記フィルタ手段は、所定幅で、装置の任意の側面に設けることもできる。
【発明の効果】
【００１１】
本発明によれば、浴槽表面汚れ除去装置を浴槽に浮遊させ、電源を投入するだけで浴槽表面汚れ除去装置が浴槽水面を移動し、水面に浮遊する汚れを自動的に除去することができる。
【００１２】
また、排出手段に使用するファンを利用し、装置の推進力として浴槽内を自由に移動させ、自動的に浴槽表面の汚れを除去することができる。
【発明を実施するための最良の形態】
【００１３】
以下、本発明の実施形態について、図面を参照して詳細に説明する。
【００１４】
図１は、本実施形態の浴槽表面汚れ除去装置の外観図である。浴槽表面汚れ除去装置１は所謂フロートタイプであり、浴槽に浮かして使用する。
【００１５】
同図において、浴槽表面汚れ除去装置１の周面には所定の幅でフィルタ２が設けられている。このフィルタ２は浴槽表面汚れ除去装置１の周面に鉢巻状に形成されている。また、浴槽表面汚れ除去装置１の上面には電源ボタン３、電池交換表示ＬＥＤ４、フィルタ洗浄／交換表示ＬＥＤ５が設けられている。さらに、浴槽表面汚れ除去装置１の側面下部にはフィルタ２によって清水化された水を排出する排出口６が設けられている。
【００１６】
図２は上記構成の浴槽表面汚れ除去装置１の断面構成を示す図である。同図に示すように、浴槽表面汚れ除去装置１は外ケース７ａの内側に内ケース７ｂを設けて構成され、内ケース７ｂ内にはフロート部８、電源収納部９が設けられている。また、電源収納部９と外ケース７ａとの間には、ポンプ室１０が設けられている。
【００１７】
また、フロート部８の上部には、本例の浴槽表面汚れ除去装置１の駆動を制御する制御回路１１が配設されている。また、電源収納部９から端子１３、及びリード線１４を介して制御回路１１に電源供給が行われ、制御回路１１からポンプ室１０内のファン１５に駆動電流が供給される。
【００１８】
前述の電源ボタン３、電池交換表示ＬＥＤ４、及びフィルタ洗浄／交換表示ＬＥＤ５と制御回路１１は内部で接続され、電源ボタン３が操作されると、制御回路１１は浴槽表面汚れ除去装置１を駆動状態とし、ファン１５に駆動電流を供給する。また、制御回路１１は電源部９に収納された電池９ａ〜９ｄの出力電圧を検知しており、出力電圧が一定値以下になると、電池交換表示ＬＥＤ４に対して発光信号を出力し、電池交換表示ＬＥＤ４を点灯させる。
【００１９】
また、フィルタ洗浄／交換表示ＬＥＤ５は、フィルタの洗浄又は交換を指示するＬＥＤであり、例えば所定時間以上浴槽表面汚れ除去装置２を使用すると、フィルタ洗浄の指示を行い、更にフィルタ洗浄が予め設定された回数行われるとフィルタ交換指示を行う。尚、フィルタ洗浄／交換表示ＬＥＤ５は、例えば二色ＬＥＤであり、フィルタ洗浄を指示する場合黄色発光し、フィルタ交換を指示する場合赤色発光となる。
【００２０】
一方、フロート部８の容量は、浴槽表面汚れ除去装置１全体の重量に従って決定される。したがって、使用する電池９ａ〜９ｄの重さ、ポンプ室１０の重さ、制御回路１１を配設したプリント基板の重さ等の重量を合計してフロート部８の容量が決定される。すなわち、浴槽に本例の浴槽表面汚れ除去装置１を浮かせた状態で、水面がフィルタ２の部分に位置するように決定する。
【００２１】
また、フィルタ２は、例えば非水溶性かつ透水性の基材に活性炭の粉末や、紙繊維等を混合したろ材を混合し、板状に形成したものである。尚、フィルタ２は上記材料に限るわけではなく、例えば籾殻やセルロース繊維等を含ませる構成としてもよい。
【００２２】
上記構成において、本例の浴槽表面汚れ除去装置１は、浴槽内に置かれると、前述のフロート部８の機能によって浮き、図２に示すように、フィルタ２の位置が水面１６の位置に重なる。したがって、電源を投入し、ファン１５が回転すると、フィルタ２から浴槽表面に浮遊する汚れを含む水が吸引され、フィルタ２によって汚れが除去される。さらに、フィルタ２によって汚れが除去された清水は、同図に示す矢印方向に流れ、ポンプ室１０のファン１５によって浴槽内に戻される。
【００２３】
図３は浴槽内に浮く本例の浴槽表面汚れ除去装置２を示す図である。同図に示すように、浴槽１７の水面に置かれた浴槽表面汚れ除去装置１は、前述のファン１５の回転力によって推進力を得、例えば矢印１８ａ方向に移動する。この間、通過する水面の汚れａをフィルタ２によって除去する。
【００２４】
その後、浴槽１７の内側面１９に達すると、当該内側面１９に当たり、推進力によって方向を変え、例えば矢印１８ｂ方向に進む。その後も、浴槽１７の内側面に当たる毎に方向をランダムに変え（矢印１８ｃ、・・・）、浴槽１７内を進む。この間、浴槽１７の水面に浮遊する汚れａが除去される。
【００２５】
したがって、本例の浴槽表面汚れ除去装置２を浴槽１７に浮かし、電源ボタン３を押すだけで、以後浴槽表面汚れ除去装置１がランダムに方向を変えて移動し、自動的に浴槽１７の水面に浮く汚れａを除去することができる。
【００２６】
尚、上記実施形態の説明では周面に曲率を有する浴槽表面汚れ除去装置１を使用したが、例えば図４に示すように周面が角型の浴槽表面汚れ除去装置２０を使用してもよい。この場合、装置の構成は外観形状を除いて同様である。すなわち、電源ボタン２２、電池交換表示ＬＥＤ２３、フィルタ洗浄／交換表示ＬＥＤ２４、排出口２５等の構成については、前述の実施形態と同様である。
また、本例においては、フィルタ２は前述のように、水溶性かつ透水性の基材に活性炭の粉末等を混合した材料を使用したが、上記材料に限定されるものではない。また、ファン１５の仕様等に対応して、例えばフィルタ２を二層で構成するようにしてもよい。
【００２７】
さらに、電源部９は電池で構成したが、絶縁を確実にすれば１００Ｖの商用電源を使用する構成とすることもできる。また、電池交換表示ＬＥＤ４、及びフィルタ洗浄／交換表示ＬＥＤ５の発光色も前述で説明した色に限るわけではなく、更に点滅等によってフィルタの洗浄や交換を強調して表示する構成としてもよい。
【００２８】
尚、上記説明ではフィルタは浴槽表面汚れ除去装置の側面に設けたが、例えば図５に示すように浴槽表面汚れ除去装置２０の上面にフィルタ２６を設ける構成としてもよい。このように構成し、例えばフロート部８の容量を調整し、浴槽表面汚れ除去装置２０が少し水面の下に沈む程度の位置に設定する。このように構成することによっても、フィルタ２６は浴槽水面の汚れを除去することができる。
【００２９】
また、図６は更に他の構成の浴槽表面汚れ除去装置の例である。同図に示す浴槽表面汚れ除去装置２７は、電源ボタン２２、電池交換表示ＬＥＤ２３、及びフィルタ洗浄／交換表示ＬＥＤ２４を水面上に位置させる構成である。フィルタ２８は上記電源ボタン２２等が配設された突出部２９の周りに形成され、全周に渡って設けられている。この場合も、フロート部８の容量を調整し、浴槽表面汚れ除去装置２７に形成されたフィルタ２８が少し水面の下に沈む程度の位置に設定する。このように構成することによっても、フィルタ２８は浴槽水面の汚れを除去することができる。
【図面の簡単な説明】
【００３０】
【図１】本実施形態の浴槽表面汚れ除去装置の外観図である。
【図２】本実施形態の浴槽表面汚れ除去装置の断面図である。
【図３】浴槽表面汚れ除去装置の浴槽内での移動例を説明する図である。
【図４】浴槽表面汚れ除去装置の他の例を示す浴槽表面汚れ除去装置の外観図である。
【図５】浴槽表面汚れ除去装置の他の例を示す外観図である。
【図６】浴槽表面汚れ除去装置の更に他の例を示す外観図である。
【符号の説明】
【００３１】
１・・・浴槽表面汚れ除去装置
２・・・フィルタ
３・・・電源ボタン
４・・・電池交換表示ＬＥＤ
５・・・フィルタ洗浄／交換表示ＬＥＤ
６・・・排出口
７ａ・・外ケース
７ｂ・・内ケース
８・・・フロート部
９・・・電源収納部
９ａ〜９ｄ・・電池
１０・・ポンプ室
１１・・制御回路
１４・・リード線
１５・・ファン
１６・・水面
１７・・浴槽
１８ａ、１８ｂ、１８ｃ・・矢印
１９・・内側面
２０・・浴槽表面汚れ除去装置
２１・・フィルタ
２２・・電源ボタン
２３・・電池交換表示ＬＥＤ
２４・・フィルタ洗浄／交換表示ＬＥＤ
２５・・排出口
２６・・フィルタ
２７・・浴槽表面汚れ除去装置
２８・・フィルタ
２９・・突出部
【図１】
2007105064.tif 000003
【図２】
2007105064.tif 000004
【図３】
2007105064.tif 000005
【図４】
2007105064.tif 000006
【図５】
2007105064.tif 000007
【図６】
2007105064.tif 000008